(57)【要約】本発明は、ダイナミックフォイルディスプレイのような光学ディスプレイの駆動に関するものであり、そのようなディスプレイのフレーム時間が分割されるサブフィールドの数の動的適合を与える。サブフィールドの数は例えば周囲光の状態（１２０１）及び画質の要求に依存して選択され得る（１２０２）。特に、より少数のサブフィールドはより明るい画像に役立ち、より多数のサブフィールドは増大された数のグレースケール及び／又は動きアーチファクトの低減に役立つ。
2006512605.tif 000002
【特許請求の範囲】
【請求項１】
フレーム時間の間に画像を表示するために動作する光学電子情報表示装置であって、
少なくとも２つの動作モードのうちのいずれか１つで動作し、第１の動作モードにおいては各フレーム時間が第１のサブフィールドの数に分割され、第２の動作モードにおいては各フレーム時間が第２のサブフィールドの数に分割され、前記第２の動作モードにおける前記サブフィールドの数は前記第１の動作モードにおける前記サブフィールドの数よりも大きいことと、
前記第１の動作モードと前記第２の動作モードとの間をスイッチングする手段を有することと
を特徴とする光学電子情報表示装置。
【請求項２】
周囲光センサ装置を更に有し、前記スイッチングする手段は、前記センサが明るい周囲の状態に曝された場合には前記第１の動作モードにおいて当該ディスプレイを動作させ、前記センサが暗い周囲の状態に曝された場合には前記第２の動作モードにおいて当該ディスプレイを動作させるように前記センサ装置の出力に応答する請求項１記載の光学表示装置。
【請求項３】
前記スイッチングする手段がユーザの入力により制御可能である請求項１記載の光学表示装置。
【請求項４】
前記第１の動作モードにおいてよりも前記第２の動作モードにおいてグレースケールの大きな数が与えられる請求項１記載の光学表示装置。
【請求項５】
前記第１の動作モードにおいてコーディング規則の第１のセットが使用され、前記第２の動作モードにおいてコーディング規則の第２のセットが使用され、コーディング規則の前記第１のセットと前記第２のセットとは互いに異なる請求項１記載の光学表示装置。
【請求項６】
前記第１の動作モードが前記第２の動作モードよりも明るい画像を与える請求項１記載の光学表示装置。
【請求項７】
当該表示装置がダイナミックフォイルディスプレイである請求項１記載の光学表示装置。
【請求項８】
フレーム時間の間に画像を表示するために動作する光学表示装置を動作させる方法であって、
各フレーム時間が第１のサブフィールドの数に分割される第１の動作モードと、各フレーム時間が第２のサブフィールドの数に分割される第２の動作モードとを含み、前記第２の動作モードにおける前記サブフィールドの数が前記第１の動作モードにおける前記サブフィールドの数よりも大きい少なくとも２つの動作モードのセットから動作モードを選択するステップと、
選択された前記動作モードを用いてディスプレイを駆動するステップと
を有する方法。
【請求項９】
周囲光のレベルを決定するステップを更に有し、前記動作モードを選択するステップが決定された前記周囲光のレベルに依存する請求項８記載の方法。
【請求項１０】
前記動作モードを選択するステップが、前記画像に関するグレースケールの数と輝度との間のトレードオフに依存して行われる請求項８記載の方法。
【請求項１１】
前記第１の動作モードにおいてコーディング規則の第１のセットが使用され、前記第２の動作モードにおいてコーディング規則の第２のセットが使用され、コーディング規則の前記第１のセットと前記第２のセットとは互いに異なる請求項８記載の方法。
【請求項１２】
当該表示装置がダイナミックフォイルディスプレイである請求項８記載の方法。
【発明の詳細な説明】
【技術分野】
【０００１】
本発明は、ダイナミックフォイルディスプレイのような光学ディスプレイに係り、特に、サブフィールドを用いるそのようなディスプレイの駆動に関する。
【背景技術】
【０００２】
光学ディスプレイは、各画素がバックライト、フロントライト、照明ライト又はライトガイドのような光源から光を独立して変調し、画像を生成するディスプレイである。
【０００３】
ダイナミックフォイルディスプレイ（ＤＦＤ）は、典型的には、アクティブプレートとしての役割を果たすライトガイドプレート、パッシブプレート及びこれらのプレートの間に挟まれた可動フォイルと選択手段とを備えた表示パネルを有している。上記可動フォイルは、フォイル電圧が印加され得る透明電極を伴って配される。画素は典型的にはマトリクス構成で配され、各画素は、パッシブプレート上に配された水平方向の走査電極とアクティブプレート上に配された垂直方向のアドレス電極との交差部に配置されている。走査電極、アドレス電極及びフォイル電極間の電圧の設定に依存して、フォイルをアクティブプレート又はパッシブプレートのいずれか一方の方に動かす静電力が局所的に引き起こされ、これは活性な又は不活性である画素をそれぞれもたらす。従って、各画素は、活性の光デカップリング状態又は不活性の光ブロッキング状態のいずれか一方の状態にあり、中間の状態は存在しない。画素が活性化されている場合、可動フォイルはライトガイドプレートに局所的に接触させられており、その結果、光はライトガイドプレートからフォイルにデカップリングされ、フォイルにおいてディスプレイから散乱し、これが明るい画素をもたらす。画素は、不活性化する、すなわち上記接触が遮断されるまでこの活性状態のままであり、逆の場合も同様である。
【０００４】
画素は、可動フォイルがライトガイドと局所的に接触させられているとＯＮ状態にあると言われ、上記フォイルがパッシブプレートと局所的に接触しているとＯＦＦ状態にあると言われる。典型的には、ディスプレイは一度に１行アドレスされる。そのようなディスプレイに関するアドレス方式を設計する際、１行をアドレス又は走査するのに要する時間は通常タイムスロットと呼ばれる。従って、１行の各画素のアドレスは、１タイムスロットを必要とする。そのタイムスロットの間、画素の幾つかは典型的にはＯＮ状態に活性化され、他の画素はＯＦＦ状態にされている。勿論、タイムスロットの持続時間は、活性化された画素の数とは無関係である。同様に、行を消去する、すなわち画素を不活性化するために１タイムスロットが必要とされる。しかしながら、消去するためのタイムスロットは、アドレスに必要な時間と同じ持続時間を持つ必要はない。
【０００５】
画素はＯＮ状態又はＯＦＦ状態のいずれか一方であるように制限されるので、グレースケールは容易に与えられない。従って、画素におけるグレースケールをつくるために、各画像に関するフレーム時間がサブフィールドのセットに分割される。各サブフィールドは、アドレスインターバルと活性インターバルと消去インターバルとを有し、各インターバルは所定の持続時間を持っている。画素が特定のサブフィールドの間活性であるべきである場合、当該画素は、活性化インターバルの間に活性化され、活性インターバルの間に光をデカップリングし、不活性化インターバルの間に不活性化される。画素が活性であるべきではない場合には、当該画素は、活性化インターバルの間不活性化されたままであり、その結果、活性インターバルの間に光をデカップリングしない。活性インターバルの持続時間に依存して、サブフィールドは場合によって（活性化される場合）画像にある量の輝度をもたらす。典型的には、サブフィールドのセットの各活性インターバルは、異なる持続時間を持ち、従って異なる光の量を場合によってもたらす。しかしながら、アドレスインターバル及び消去インターバルは、全てのサブフィールドに関して同一であり、従って、活性インターバル持続時間とは無関係である。
【０００６】
そのような構成は、単にフレーム時間の間にサブフィールドの異なる組み合わせを活性化するように選択することにより、フレーム時間の間に表示されるべきグレースケールレベルの大きなセットに役立つ。すなわち、１フレーム時間の間に全てのサブフィールドを連続して表示することにより、幾つかのサブフィールドは活性であり、幾つかのサブフィールドは不活性であり、１画素において各フレーム時間の間に光がデカップリングされる時間の合計の部分は制御され、グレースケールが生成される。最も鈍い（及びゼロではない）グレースケールは最も短い活性インターバルを持つサブフィールドのみを活性化することにより達成され、最も明るいグレースケールは全てのサブフィールドを活性化することにより達成される。
【０００７】
一般的なタイプのＤＦＤは、ＷＯ９９／２８８９０公報から知られている。
【発明の開示】
【発明が解決しようとする課題】
【０００８】
しかしながら、グレースケールを与えるためにサブフィールドを使用することは、ある制限及び欠点を持つことを経験する。例えば、日が射している状態で使用するのに十分明るい画像を与えることは困難である。また、暗い周囲の状態において用いる場合、利用可能なグレースケールの数は所望の画質を与えるためには制限されすぎる。更に、ひどいアーチファクトが画質に影響を及ぼす。従って、上述の問題が軽減される改善された光学表示装置が必要である。
【０００９】
本発明の目的のために、光学ディスプレイを動作させる際、輝度と画像の質との間において妥協されなければならないことが認識されている。更に、重要なトレードオフファクタは、各フレーム時間が分割されるサブフィールドの総数であることが認識されている。基本的に、少数のサブフィールドが使用される場合、すなわち合計のアドレス時間（１フレームの全てのサブフィールドに関する活性化及び不活性化インターバルの合計）が少なく、フレーム時間の大部分が活性インターバルにおける光の生成に用いられ得る場合に、高い輝度が得られる。しかしながら、少数のサブフィールドである場合、ひどい動きアーチファクト（動的な偽輪郭、ぼやけ、二重画像）の発生及び／又は制限されたグレーレベルの数のために、画質が悪い。多数のサブフィールドを使用すると、グレーレベルの数が増大し、良好な画質をもたらすコーディング規則が導入され得る。この目的のために、種々のコーディング規則が利用可能であり、当該技術分野においてよく知られている。しかしながら、フレーム時間の大部分はディスプレイをアドレスするために用いられ、フレーム時間の制限された部分のみが光の生成のために利用可能である。従って、得られる最大の輝度は低い。
【課題を解決するための手段】
【００１０】
サブフィールドに関する上記問題は、請求項１記載の光学表示装置及び請求項８記載の方法によりほぼ改善される。追加の従属クレームは本発明の好ましい形態を与える。
【００１１】
従って、フレーム時間の間に画像を表示するために動作する光学電子情報表示装置が与えられる。この表示装置は、少なくとも２つの動作モードのうちのいずれか１つで動作し、第１の動作モードにおいては各フレーム時間が第１のサブフィールドの数に分割され、第２の動作モードにおいては各フレーム時間が第２のサブフィールドの数に分割され、第２の動作モードにおけるサブフィールドの数は第１の動作モードにおけるサブフィールドの数よりも大きい。また、上記本発明の表示装置は、上記第１の動作モードと第２の動作モードとの間をスイッチングする手段を有する。
【００１２】
本発明の目的のために、サブフィールドの数を制御すること、従って例えば輝度と他の画質のファクタとの間の適切なバランスを見出すことの重要性が認識される。従って、請求項1に記載されている発明は、各フレーム時間に用いられるサブフィールドの数の動的適合を与える。その結果、上記装置の製造の際、最終的な妥協をする必要がなく、装置の動作中にサブフィールドの数が動的に適合され得る。異なる動作モード間のスイッチングは、手動で又は自動的に行われ得る。
【００１３】
１つの好ましい形態によれば、上記表示装置は周囲光センサ装置を有し、上記スイッチングする手段は、センサが明るい周囲の状態に曝された場合には第１の動作モードにおいて当該ディスプレイを動作させ、センサが暗い周囲の状態に曝された場合には第２の動作モードにおいて当該ディスプレイを動作させるようにセンサ装置の出力に応答する。
【００１４】
この形態は、周囲光の状態に依存する異なる動作モード間の自動的なスイッチングに役立つ。その結果、本発明は、周囲光の量に対してサブフィールドの数の自動的な適合を与える。明るい環境では、最大の輝度を実現することが最も重要であり、低いグレー値において与えられるグレーレベルの制限された損失が容認され得る。しかしながら、鈍い環境では、最も低いグレー値もよく区別されるべきであるが、最大の輝度は低減される。人間の視覚体系は鈍い環境に適合し、低減された最大の輝度はちょうど好ましい。
【００１５】
他の形態によれば、上記スイッチングする手段はユーザの入力により制御可能である。これは、異なる動作モード間の手動のスイッチングを与える点で有利である。ユーザは、個々に動作モードを選択することが可能である。例えば使用時にセンサ信号をオーバーライドするユーザ入力手段を有することにより、光検知機能をユーザ制御機能と組み合わせることも可能である。
【００１６】
他の形態によれば、第１の動作モードにおいてよりも第２の動作モードにおいてグレースケールの大きな数が与えられる。これは、第２の動作モードがより高い画質を提供する点で有利である。
【００１７】
他の形態によれば、上記第１の動作モードにおいてコーディング規則の第１のセットが使用され、上記第２の動作モードにおいてコーディング規則の第２のセットが使用され、これらコーディング規則の第１のセットと第２のセットとは互いに異なる。それにより、例えば周囲光の状態に対してコーディング規則を動的に適合することが可能である。これは、改善された画質を与える点で有利である。例えば、第１の動作モードと比較して第２の動作モードを使用する際に動きアーチファクトを低減することが可能である。
【００１８】
他の形態によれば、上記第１の動作モードは第２の動作モードよりも明るい画像を与える。これは、画像の輝度と画質との間のトレードオフが作られ得る点で有利である。例えば、明るい周囲の状態において明るい画像を与えるために第１の動作モードが用いられ、より多数のグレースケール及び／又は低減されたアーチファクトを与えるために第２の動作モードが用いられる。装置の製造の際に最終的な選択を行う必要がなく、装置の動作中にサブフィールドの数が動的に適合され得る。
【００１９】
本発明の第２の観点によれば、フレーム時間の間に画像を表示するために動作する光学表示装置を動作させる方法であって、各フレーム時間が第１のサブフィールドの数に分割される第１の動作モードと、各フレーム時間が第２のサブフィールドの数に分割される第２の動作モードとを含み、第２の動作モードにおけるサブフィールドの数が第１の動作モードにおけるサブフィールドの数よりも大きい少なくとも２つの動作モードのセットから動作モードを選択するステップと、選択された動作モードを用いてディスプレイを駆動するステップとを有する方法が与えられる。
【００２０】
上記本発明の方法は、動作モード及び従って各フレーム時間が分割されるサブフィールドの数の動的適合を与える。この方法は、動作モードが例えば駆動条件又はユーザの入力の変更に応じて適合され得る点で有利である。異なるサブフィールドの数は、例えば、表示される画像に関する異なるコーディング規則、異なる数のグレースケール及び異なる輝度の使用に役立つ。
【００２１】
一形態によれば、上記方法は周囲光のレベルを決定するステップを更に有し、動作モードを選択するステップは決定された周囲光のレベルに依存する。
【００２２】
周囲光の高いレベルに対してより少数のサブフィールドを用いる動作モードが選択され、周囲光の低いレベルに対してより多数のサブフィールドを用いる動作モードが選択されることが好ましい。周囲光のレベルは、ディスプレイのドライバ回路に制御信号を与える周囲光センサにより決定され得る。これは、異なる周囲光レベルに対する適合が自動的になされる点で有利である。
【００２３】
一形態によれば、上記動作モードを選択するステップは、画像に対して必要とされる輝度と画像に関するグレースケールの数との間のトレードオフに依存する。大きい数のグレースケールが優先される場合にはより多数のサブフィールドが選択されるのに対して、高い輝度が優先される場合にはより少数のサブフィールドが選択される。
【００２４】
本発明の根底にある基本的な考え方は、光学ディスプレイを異なる駆動条件に適合させるためにサブフィールドの数が動的に適合され得るという識見である。動的適合は、好ましい画像の輝度、好ましいグレースケールの数及び好ましいコーディング規則のようなファクタの間のトレードオフに基づくことが好ましい。特に、低減された数のサブフィールドはより明るい画像に役立ち、増大された数のサブフィールドはコーディング規則を高度化させる画質及び／又は増大された数のグレースケールに役立つ。
【００２５】
本発明のこれらの観点及び他の観点は、以下に説明する実施の形態から明らかであり、以下に説明する実施の形態を参照して理解されるであろう。
【発明を実施するための最良の形態】
【００２６】
図１１は、本発明のダイナミックフォイルディスプレイ１１００の一実施の形態を模式的に示している。このディスプレイ１１００は、表示パネル１１０１を駆動する駆動回路１１０２と、動作モード間をスイッチングする手段１１０４と、周囲光のレベルを検知するセンサ１１０３とを有している。上記スイッチングする手段１１０４は、センサ１１０３及び駆動回路１１０２と相互接続されている。
【００２７】
ダイナミックフォイルディスプレイの駆動は、双安定又はヒステリシスに依拠する。各画素は、当該画素に関連する行電極及び列電極に印加される電圧によりアドレスされる。上記電極に印加される電圧は、３つの異なる領域、画素がＯＮ状態に動かされるＯＮ領域、画素がＯＦＦ状態に動かされるＯＦＦ領域及び画素がその時の状態のままである中間の双安定領域に分類され得る。図１は、画素に印加され得る相対的な電圧を模式的に示している。ｘ軸は行電極の電圧（Ｖr）に対応し、ｙ軸は列電極の電圧（Ｖc）に対応し、各軸の交差部はゼロ電圧に対応している。また、フォイル電圧のレベルも示されている。静電力Ｆは電圧差（ｄＶ）の２乗に比例し、２つの電極間の距離ｄに反比例する、すなわちＦ∝（Ｖr−Ｖfoil）２／ｄ（Ｖc−Ｖfoil）２／ｄであるので、フォイルと対応する電極との電圧差が、フォイル電極と行及び列（パッシブ及びアクティブプレート）それぞれとの間の上記静電力Ｆを決定する。力のバランスがフォイルの位置を決定し、列及び行に印加される電圧のある組み合わせに関して、画素はＯＮ状態（電圧領域１０５、ＯＮ領域）にされる。すなわち、フォイルはライトガイドに接触するように動かされる。電圧領域１０３、ＯＦＦ領域では、フォイルは、そうではなく、他方のパッシブプレートに接触するように動かされ、従って、画素はＯＦＦ状態にされる。しかしながら、電圧領域１０４、双安定領域では、電圧により引き起こされるフォイルに対する力がフォイルをスイッチングするのに不十分であり、画素はその時の状態のままである。各領域間の境界は、ＯＮ曲線１０１及びＯＦＦ曲線１０２として知られている。
【００２８】
光学ディスプレイの駆動が準拠し得る２つの異なる原理が存在する。所謂Address-Display-Separated若しくはフラッシュライトの原理が用いられるか、又は所謂Address-While-Displayの原理が用いられるかのいずれか一方である。Address-While-Displayの動作モードが用いられる場合、ライトガイドは常に光を運び、従って画素はＯＮ状態にあると常に光を発する。そのようなアドレス方式は、８つの行を有するディスプレイに関して図３及び図４に示されている。図３は所謂ＬＳＢ（Least Significant Bit）方式に従ってアドレスされる行を示しており、図４は所謂コンパクトスムーズ方式に従ってアドレスされる行を示している。正方形３０１及び４０１は、それぞれ、画素の行がアドレスされるタイムスロットを示している。行は、行の画素を走査し、当該画素を幾らかでもＯＮ状態にすることによりアドレスされる。正方形３０２及び４０２は、それぞれ、行が活性である、すなわち当該画素が幾らかでもＯＮ状態にある場合のタイムスロットを示している。正方形３０３及び４０３は、それぞれ、行が消去される、すなわち全ての画素がＯＦＦ状態にされる場合のタイムスロットを示している。正方形３０４及び４０４は、それぞれ、行が不活性である、すなわち全ての画素がＯＦＦ状態にある場合のタイムスロットを示している。ライトガイドは常に活性であるので、画素はＯＮ状態にされるとすぐに光を発し、ＯＦＦ状態に戻されるまで発光し続ける。
【００２９】
Address-Display-Separated又はフラッシュライトの動作モードが用いられる場合、ライトガイドは、アドレスインターバルの間はオフにされ、活性のＯＮインターバルの間のみオンにされる。そのようなアドレス方式は図５に示されており、図５において、正方形５０１は行がアドレスされるタイムスロットを示し、正方形５０２は行が活性であるタイムスロットを示し、正方形５０３は行が消去されるタイムスロットを示している。しかしながら、ＯＦＦインターバル５０４の間、ライトガイドはオフにスイッチングされ、従って画素は光を発することができない。その結果、画素がＯＮ状態にあるが、発光しないままであるタイムスロット５０６が存在する。ＯＮインターバル５０５の間のみ、ライトガイドがオンにされると、画素は光を発することができる。
【００３０】
フラッシュライトの動作モードに関する典型的なアドレス方式を図２を参照して説明する。まず、列電極にフォイル電圧を印加することにより、全ての画素が消去される。すなわちＯＦＦ状態にされる。その後、一度に１つの行がＯＮ選択電圧（Ｖr（selON））にされる。この電圧では、列電圧がＶc（selON）にされると画素がライトガイド（すなわちＯＮ状態）にスイッチングし、列電圧がＶc（selOFF）である場合にはその時の位置（すなわちＯＦＦ状態）のままである。残りの行は、列電極に印加されるデータ電圧とは関係なく対応する画素がその時の状態（すなわちＯＦＦ状態）のままであるように選択される非選択電圧（Ｖr（unsel））に保たれる。従って、列電極を順次アドレスすることにより、選択された行の画素がアドレスされ、残りの行は影響を受けない。全ての画素をアドレスするために、各行に関して上記手順が繰り返される。
【００３１】
グレースケールは、バイナリ重み付けされたサブフィールド（ＢＷＳ）の適切な組み合わせにより、又は改善された（動）画質に関する他の重み付けを伴うサブフィールドを用いることにより作られる。これらサブフィールドは、ＯＮ及びＯＦＦのアドレス行為によりどのような順序で行がアドレスされているかを説明するアドレス方式に系統立てられる。各アドレススロットにおいて、１つの行がアドレスされる一方で、他の全ての行は「非選択」レベルに保たれる（上記非選択レベルにおいて、それらの行はその時の状態のままである。）。Address-While-Display方式では、ライトガイド内の光が常に運ばれ続け、画素の光出力に関するＯＮ及びＯＦＦのアドレスの作用は速やかである。
【００３２】
図６は、サブフィールドの数の動的適合の一般的な考え方を示している。領域６０１は消去インターバルを指し、領域６０２はアドレスインターバルを指し、領域６０３は活性インターバルを指している。シーケンス６０４は、５つのサブフィールドに分割され、ある長さの活性インターバルの合計６１０をもたらすフレーム時間６０９を示している。シーケンス６０５は、４つのみのサブフィールドに分割されたフレーム時間６０９を示している。従って、残りの活性インターバルが広げられ、これがシーケンス６０４と比較してインターバル６０７だけ長くなった合計の活性インターバル６１０をもたらす。最後に、シーケンス６０６は６つのサブフィールドに分割されたフレーム時間６０９を示している。従って、活性インターバルはインターバル６０８だけ短くされなければならず、これはシーケンス６０４に関してよりも短くなった活性インターバルの合計６１０をもたらす。
【００３３】
第１の例として、本発明は５００ラインを有するフラッシュライト動作のＤＦＤにおいて実現され得る。従って、１つのサブフィールドをアドレスするのに１．５ｍｓ（消去のための０．２５ｍｓ＋５００行×１行当たり２．５μｓのアドレス時間）を要するそのようなディスプレイを考えてみる。１０サブフィールドが２０ｍｓのビデオフィールド期間において用いられる場合、アドレスのために１５ｍｓが必要とされ、５ｍｓのみが光の生成のために残される。高い周囲光において、最も低く重み付けされたサブフィールドは目に見えない（又はほとんど見えない）輝度の寄与に対応し、従ってこのサブフィールドを取り止め、９フィールドのみを用いることが可能である。その場合、アドレスのために１３．５ｍｓが必要とされ、６．５ｍｓが光の生成のために利用可能であり、これは３０％の輝度の増大を可能にする。しかしながら、暗い環境では、１１サブフィールド又は更に１２サブフィールドが好ましく、これは３０％（３．５ｍｓの光の生成）又は６０％（２ｍｓの光の生成）の輝度の低減をそれぞれ招くが、最も低いグレーレベル及びグレーレベルの解像度（ステップサイズ）が約２倍又は４倍それぞれ低減され得る。この例は図７に模式的に示されており、図７ではフレーム時間が３つのサブフィールド及び４つのサブフィールドにそれぞれ分割されている。フレーム時間を４つのサブフィールドに分割すると、２＋４＋８＋１６＝３０タイムスロットが光の生成のために利用可能である。フレーム時間を３つのサブフィールドのみに分割すると、６＋１１＋２２＝３９タイムスロットが利用可能である。勿論、個々の活性インターバルの持続時間は変更され得るが、それらは合計で３９タイムスロットになる。
【００３４】
図８に示されている第２の例として、本発明は、８行の、バイナリ重み付けされ、２タイムスロットの最も低く重み付けされたサブフィールドを有するコンパクトスムーズアドレスディスプレイにおいて実現され得る。４サブフィールドの場合、これは２＋４＋８＋１６＝３０タイムスロットの間の光の生成に対応するピーク輝度をもたらす。３サブフィールドのみが用いられる場合には、光の生成時間の合計は、アドレス方式全体について（ほぼ）同じ合計時間で８＋１６＋３２＝５６タイムスロットに増大する。
【００３５】
以前に議論されたように、サブフィールドの数の自動的な動的適合を容易にするために周囲光センサが用いられ得る。図９は、どのようにサブフィールドの数が周囲光レベルに依存し得るかを示している。この図の左端において周囲光は最も暗く、右端において周囲光は最も明るい。曲線９０１は、サブフィールドの数を周囲光レベルの関数として示している。この特定の例では、最も暗い状態において１３サブフィールドが用いられ、最も明るい状態においては９サブフィールドのみが用いられる。曲線９０２は、活性インターバルの相対的な割合を示している。すなわち、ディスプレイの得られる最大の輝度に関する程度である。
【００３６】
図１０にＤＦＤパネル１００７の駆動がブロック図を用いて模式的に示されている。このように、ビデオデータ１００１はビデオメモリを介してサブフィールド処理ユニット１００３に与えられ、サブフィールド処理ユニット１００３は、上記データを、サブフィールドメモリ１００４を介してＤＦＤパネル１００７に順にフォワードされるサブフィールドデータ１０１２に変換する。ビデオ測定１００５及びサブフィールド測定１００６は、それぞれビデオデータ１００１及びサブフィールドデータ１０１２に対して行われ、これらの測定値はシステム制御部１００９に送られる。このシステム制御部１００９は、周囲光測定部１０１１からの周囲光レベルの信号に依存して動作モード、すなわち用いられるべきサブフィールドの数を制御する。それに加えて又は代替として、動作モードは、例えばユーザ入力信号である制御信号１００８に依存し得る。システム制御部１００９は、用いられるべき具体的なサブフィールドの設定についての情報を含む制御信号をサブフィールド処理ユニット１００３に送り、タイミング及び制御生成信号１０１０をＤＦＤパネル１００７に送る。上記制御信号はサブフィールド処理ユニット１００３のタイミング及び制御生成信号１０１０との調整を容易にする。調整されたサブフィールドメモリ信号は、サブフィールドメモリユニット１００４によりＤＦＤパネル１００７に与えられる。
【００３７】
図１２は、本発明の駆動方法の一実施の形態を示すブロック図である。まず、周囲光レベルが決定される（１２０１）。次に、（サブフィールドの数を含む）動作モードが選択される（１２０２）。続いて、ディスプレイが選択された動作モードにスイッチングされる（１２０３）。最後に、ディスプレイが選択された動作モードを用いて駆動される（１２０４）。しかしながら、周囲光レベルを決定する第１のステップ１２０１は必須ではなく、省略され得る。
【００３８】
本発明は、とりわけ、
１．デジタルミラーデバイス（ＤＭＤ，ＤＬＰ）、ＩＲＩＤＩＧＭデジタルペーパーディスプレイ、サブフィールドを用いて駆動される場合のグレーティングライトバルブディスプレイのような他のＭＥＭＳ（micro-electromechanical system）等のミクロ機械の光学システム
２．サブフィールド駆動の反射型又は透過型ＬＣＤ
のようなバイナリ変調に基づく種々のタイプのサブフィールド駆動のディスプレイに適用され得る。
【００３９】
また、本発明は（例えばパルス幅変調方式を用いる）サブライン駆動のディスプレイにおいて実現されることが可能であり、その場合、各行はサブフィールドを用いてアドレスされるが、一度に１行のみが活性化される。
【００４０】
結論として、本発明は、ダイナミックフォイルディスプレイのような光学ディスプレイの駆動に関するものであり、そのようなディスプレイのフレーム時間が分割されるサブフィールドの数の動的適合を与える。従って、サブフィールドの数は、例えば周囲光の状態及び画質の要求に依存して適合され得る。特に、より小数のサブフィールド（６０５）はより明るい画像に役立つのに対して、より多数のサブフィールド（６０６）は増大した数のグレースケール及び／又は動きアーチファクトの低減に役立つ。
【図面の簡単な説明】
【００４１】
【図１】双安定のＤＦＤ画素に関する３つの異なる電圧領域、すなわちＯＮ領域、双安定領域及びＯＦＦ領域を示している。
【図２】典型的なＤＦＤのアドレス方式に関する異なる行（ｘ軸）及び列（ｙ軸）電極の電圧レベルを示している。
【図３】ＤＦＤのアドレス方式を示している。
【図４】ＤＦＤの他のアドレス方式を示している。
【図５】ＤＦＤの更に他のアドレス方式を示している。
【図６】活性インターバルの持続時間がサブフィールドの数にどのように依存するかを示している。
【図７】フラッシュライト動作のアドレス方式に関する異なる活性インターバルを示している。
【図８】Address-While-Display動作のアドレス方式に関する異なる活性インターバルを示している。
【図９】サブフィールドの数と周囲光のレベルとの１つの可能な関係を示している。
【図１０】本発明のＤＦＤ駆動回路を示すブロック図である。
【図１１】動作モード間をスイッチングする手段を有するＤＦＤの一実施の形態を模式的に示している。
【図１２】本発明の方法の一実施の形態を示すブロック図である。
【図１】
2006512605.tif 000003
【図２】
2006512605.tif 000004
【図３】
2006512605.tif 000005
【図４】
2006512605.tif 000006
【図５】
2006512605.tif 000007
【図６】
2006512605.tif 000008
【図７】
2006512605.tif 000009
【図８】
2006512605.tif 000010
【図９】
2006512605.tif 000011
【図１０】
2006512605.tif 000012
【図１１】
2006512605.tif 000013
【図１２】
2006512605.tif 000014
【国際調査報告】
2006512605.tif 000015
2006512605.tif 000016